(57)【要約】【課題】本発明は、必要に応じて、異なる材料で作られたものと置き換えることができる音声ガイドアセンブリを有するスピーカを提供する。【解決手段】スピーカは、ケーシングとスピーカユニットと音声ガイドアセンブリとを含む。前記ケーシングは、開口端を有し、前記開口端にある少なくとも１つの第１の接続部を有する。前記スピーカユニットは前記ケーシング内に配置される。前記音声ガイドアセンブリは、少なくとも１つの第２の接続部を有する。前記少なくとも１つの第２の接続部が前記少なくとも１つの第１の接続部と構造的に干渉して、前記音声ガイドアセンブリが前記ケーシングの前記開口端に着脱自在に組み付けられる。【選択図】図２
2020137113.tif 000002
【特許請求の範囲】
【請求項１】
開口端と、前記開口端にある少なくとも１つの第１の接続部とを備えるケーシングと、
前記ケーシング内に配置されたスピーカユニットと、
少なくとも１つの第２の接続部を備える音声ガイドアセンブリであって、前記少なくとも１つの第２の接続部が前記少なくとも１つの第１の接続部と構造的に干渉して、前記音声ガイドアセンブリが前記ケーシングの前記開口端に着脱自在に組み付けられる音声ガイドアセンブリと、を備える、スピーカ。
【請求項２】
前記音声ガイドアセンブリは、前記スピーカユニットに面する反射面を備え、前記スピーカユニットは、音波を前記反射面に第１の方向に伝達するように適合され、前記反射面は、前記第１の方向に向かって傾斜され、前記音波が第２の方向に伝達されるように前記音波を反射するように適合される、請求項１に記載のスピーカ。
【請求項３】
前記音声ガイドアセンブリは、前記音声増幅器のうちの任意の２つの隣接するものの間に音声増幅チャネルを形成するように間隔をおいて配置された複数の音声増幅器を備え、前記音声増幅チャネルの各々は、互いに対向する入口および出口を備え、前記出口は、前記入口の内径よりも大きい内径を有し、前記スピーカユニットからの音波は、前記入口を通って前記音声増幅チャネルに入り、前記出口を通って前記スピーカの外部に伝達されるように適合され、前記音声増幅器の各々は、放物面、テーパ面、指数関数的面、および双曲面のうちの少なくとも１つを備える、請求項１に記載のスピーカ。
【請求項４】
前記音声ガイドアセンブリは、フレームと音声ガイドアセンブリ本体とを備え、前記少なくとも１つの第２の接続部は、前記フレームに接続され、前記フレームは、前記音声ガイドアセンブリ本体を前記ケーシング内に制限する、請求項１に記載のスピーカ。
【請求項５】
前記少なくとも１つの第２の接続部は、少なくとも１つのねじ留め部材を備え、前記少なくとも１つの第１の接続部は、少なくとも１つのねじ穴を備え、前記フレームは、前記ねじ留め部材を使用して前記ねじ穴にねじ留めされる、請求項４に記載のスピーカ。
【発明の詳細な説明】
【技術分野】
【０００１】
本開示は、スピーカに関し、特に、交換可能な音声ガイドアセンブリを有するスピーカに関する。
【背景技術】
【０００２】
スピーカ技術が発達するにつれて、消費者は、スピーカによって提供される音質にますます高い要求を課す。良好なスピーカ効率のために、ほとんどのスピーカは、音声ガイド構造（音波反射構造および音声増幅構造など）を備えている。加えて、特定の材料が、音声ガイド構造を作るために使用され、その結果、スピーカは、消費者によって必要とされる特定の適切なトーンを有する音声を生成する。しかしながら、音声ガイド構造は、一般に、スピーカ内の取り替え不可能な構造である。したがって、消費者は、好みに応じて、スピーカが発する音のトーンを変えるように、音声ガイド構造の材質を変えることができない。
【発明の概要】
【発明が解決しようとする課題】
【０００３】
本発明は、必要に応じて、異なる材料で作られたものと置き換えることができる音声ガイドアセンブリを有するスピーカを提供する。
【課題を解決するための手段】
【０００４】
本発明のスピーカは、ケーシングとスピーカユニットと音声ガイドアセンブリとを含む。前記ケーシングは、開口端と、前記開口端にある少なくとも１つの第１の接続部とを含む。前記スピーカユニットは前記ケーシング内に配置される。前記音声ガイドアセンブリは、少なくとも１つの第２の接続部を含む。前記少なくとも１つの第２の接続部が前記少なくとも１つの第１の接続部と構造的に干渉して、前記音声ガイドアセンブリが前記ケーシングの前記開口端に着脱自在に組み付けられる。
【０００５】
本発明の一実施形態では、音声ガイドアセンブリおよび別の音声ガイドアセンブリは、それぞれ、金属、磁器、セラミック、木材、プラスチック、およびガラスのうちの２つから作られる。
【０００６】
本発明の一実施形態では、前記音声ガイドアセンブリは、前記スピーカユニットに面する反射面を含む。
【０００７】
本発明の一実施形態では、前記スピーカユニットは、音波を前記反射面に第１の方向に伝達するように適合され、前記反射面は、前記音波が第２の方向に伝達されるように、前記音波を反射するように適合されるように、前記第１の方向に向かって傾斜される。
【０００８】
本発明の一実施形態では、前記ケーシングは、円筒状ケーシングであり、前記第１の方向は、前記円筒状ケーシングの軸方向であり、前記第２の方向は、前記円筒状ケーシングの半径方向である。
【０００９】
本発明の一実施形態では、前記反射面は、平面、円錐面、角錐面、楕円面、放物面、および双曲面のうちの少なくとも１つを含む。
【００１０】
本発明の一実施形態では、前記反射面は、前記スピーカの内部に隠される。
【００１１】
本発明の一実施形態では、前記音声ガイドアセンブリは、前記音声増幅器のうちの任意の２つの隣接するものの間に音声増幅チャネルを形成するように間隔をおいて配置された複数の音声増幅器を含み、前記音声増幅チャネルの各々は、互いに対向する入口および出口を含み、前記出口は、前記入口の内径よりも大きい内径を有し、前記スピーカユニットからの音波は、前記入口を通って前記音声増幅チャネルに入り、前記出口を通って前記スピーカの外部に伝達されるように適合される。
【００１２】
本発明の一実施形態では、前記音声増幅器の各々は、放物面、テーパ面、指数関数的面、および双曲面のうちの少なくとも１つを含む。
【００１３】
本発明の一実施形態では、前記音声増幅器は、前記スピーカの内部に隠される。
【００１４】
本発明の一実施形態では、前記音声増幅器は、放射状に配置される。
【００１５】
本発明の一実施形態では、前記音声ガイドアセンブリは、底壁を含み、前記音声増幅器は、前記底壁上に担持される。
【００１６】
本発明の一実施形態では、前記底壁は、前記スピーカユニットと前記音声増幅器との間に配置され、前記底壁は、開口を含む。
【００１７】
本発明の一実施形態では、前記音声増幅器は、前記開口を取り囲む。
【００１８】
本発明の一実施形態では、前記音声ガイドアセンブリは、フレームと音声ガイドアセンブリ本体とを含み、前記少なくとも１つの第２の接続部は、前記フレームに接続され、前記フレームは、前記音声ガイドアセンブリ本体を前記ケーシング内に制限する。
【００１９】
本発明の一実施形態では、前記音声ガイドアセンブリ本体および前記フレームは、一体的に形成される。
【００２０】
本発明の一実施形態では、前記音声ガイドアセンブリ本体は、接着、インモールド成形、または溶接によって前記フレームと組み合わされる。
【００２１】
本発明の一実施形態では、前記少なくとも１つの第２の接続部は、少なくとも１つのねじ留め部材を含み、前記少なくとも１つの第１の接続部は、少なくとも１つのねじ穴を含み、前記フレームは、前記ねじ留め部材を使用して前記ねじ穴にねじ留めされる。
【００２２】
本発明の一実施形態では、前記第２の接続部は、少なくとも１つの弾性アームと、係合スロットを含む前記少なくとも１つの弾性アームの端部とを含み、前記第１の接続部は、前記少なくとも１つの弾性アームの弾性変形によって前記係合スロットと係合するように適合された少なくとも１つの係合ブロックを含む。
【００２３】
本発明の一実施形態では、前記第２の接続部は、少なくとも1つの係合スロットを含み、前記第１の接続部は、前記ケーシングに対する前記フレームの回転と共に前記少なくとも1つの係合スロット内に移動するように適合された少なくとも1つの係合ブロックを含む。
【発明の効果】
【００２４】
上記に基づいて、本発明の前記スピーカによれば、前記音声ガイドアセンブリは着脱可能であり、したがって、ユーザは、前記既存の音声ガイドアセンブリを、異なる材料で作られた音声ガイドアセンブリと交換することが好都合である。このようにして、前記スピーカは、異なる材料で作られた前記音声アセンブリを使用して、異なるトーンの音声を生成することができる。
【図面の簡単な説明】
【００２５】
【図１】本発明の一実施形態によるスピーカの三次元図である。
【図２】図１のスピーカの分解図である。
【図３】図２の音声ガイドアセンブリの断面図である。
【図４】図１のスピーカの部分三次元図である。
【図５】本発明の別の実施形態によるスピーカの分解図である。
【図６】図５のスピーカの部分三次元図である。
【図７】本発明の別の実施形態によるスピーカの分解図である。
【図８】図７のスピーカの部分三次元図である
【図９】本発明の別の実施形態によるスピーカの分解図である。
【図１０】本発明の別の実施形態によるスピーカの分解図である。
【図１１】図１０のスピーカの一部の上面図である。
【図１２】本発明の別の実施形態によるスピーカの分解図である。
【図１３】図１２のスピーカの一部の上面図である。
【図１４】本発明の別の実施形態によるスピーカの分解図である。
【発明を実施するための形態】
【００２６】
図１は、本発明の一実施形態によるスピーカの三次元図である。図２は、図１のスピーカの分解図である。図３は、図２の音声ガイドアセンブリの断面図である。図1乃至図3を参照すると、本実施形態のスピーカ１００は、ケーシング１１０と、スピーカユニット１２０と、音声ガイドアセンブリ１３０とを含む。ケーシング１１０は、開口端１１０ａと、開口端１１０ａに設けられた複数の第１の接続部１１０ｃとを有している。ケーシング１１０は、例えば円筒状のケーシングであり、スピーカユニット１２０は、ケーシング１１０内に配置され、音声信号に応じた音波を発生するように構成される。スピーカユニット１２０は、例えば、ムービングコイル型のスピーカユニット、圧電型のスピーカユニット、静電型のスピーカユニット又は他のタイプのスピーカユニットである。本発明では、これに制限は課されない。
【００２７】
音声ガイドアセンブリ１３０は、複数の第２の接続部１３０ｂを有する。第２の接続部１３０ｂの各々は、対応する第１の接続部１１０ｃと構造的に干渉し、その結果、音声ガイドアセンブリ１３０は、ケーシング１１０の開口端１１０ａ上に着脱自在に組み立てられる。また、音声ガイドアセンブリ１３０は、スピーカユニット１２０に対向する反射面１３０ａ（図３参照）を有する。スピーカユニット１２０は、音波を反射面１３０ａに第１の方向Ｄ１（例えば、図３に示す円筒状ケーシングの軸方向）に伝達するようになっており、反射面１３０ａは、音波が第２の方向Ｄ２（例えば、図３に示す円筒状ケーシングの半径方向）にケーシング１１０の音声出口１１０ｂを通ってスピーカ１００の外部ＯＳに伝達されるように、音波を反射するように第１の方向Ｄ１に向かって傾斜している。本実施形態において、反射面１３０ａは、必要に応じて、平面、円錐面、角錐面、楕円面、放物面、双曲面のうちの少なくとも1つを含んでもよい。本発明では、これに制限は課されない。
【００２８】
音声ガイドアセンブリ１３０は、上述のように取り外し可能であるので、ユーザは、既存の音声ガイドアセンブリ１３０を、異なる材料で作られた音声ガイドアセンブリと交換することが好都合である。このように、スピーカ１００は、異なる素材からなる音声ガイドアセンブリを用いて、異なるトーンの音を発生させることができる。例えば、音声ガイドアセンブリ１３０及び別の音声ガイドアセンブリ１３０は、それぞれ、例えば、金属、磁器、セラミック、木材、プラスチック、及びガラスのうちの２つから作られるが、本発明は、これに限定されない。また、本実施形態における反射面１３０ａは、スピーカ１００の外観に影響を与えることなく、スピーカ１００の内部ＩＳに隠されている。
【００２９】
本実施形態では、音声ガイドアセンブリ１３０は、フレーム１３２と、音声ガイドアセンブリ本体１３４とを含む。フレーム１３２は、例えば、環状であり、第２の接続部１３０ｂは、フレーム１３２に連結され、フレーム１３２は、ケーシング１１０に着脱自在に組み付けられる。また、音声ガイドアセンブリ本体１３４は、例えば、フレーム１３２に一体的に連結されてケーシング１１０内に収納される。図４は、図１のスピーカの部分三次元図である。図２および図４を参照して、本実施形態における第２の接続部１３０ｂは、たとえばねじ留め部材であり、第１の接続部１１０ｃは、たとえばねじ穴である。フレーム１３２は、ねじ留め部材を用いてケーシング１１０の複数のねじ穴にねじ留めされることにより、上述したように音声ガイド部材１３０が着脱自在となっている。
【００３０】
音声ガイドアセンブリ１３０をケーシング１１０に組み付ける方法は、以下の図面を用いて例示される本発明に限定されない。
【００３１】
図５は、本発明の別の実施形態によるスピーカの分解図である。図６は、図５のスピーカの部分三次元図である。図６は、図５に示すスピーカ１００Ａと、図２に示すスピーカ１００との差は、図５のフレーム１３２が、図２とは異なり、ネジ留め部材を用いてケーシング１１０にネジ留めされていない点である。図５の第２の接続部分１３０ｂの各々は、弾性アームであり、各弾性アームの端部は、図６に示す係合スロットＥ１を有し、第１の接続部分１１０ｃの各々は、係合ブロックＥ２を含む。組み立て中、音声ガイドアセンブリ１３０がケーシング１１０に向かって下降すると、第２の接続部分１３０ｂが第１の接続部分１１０ｃと接触すると、弾性アーム（第２の接続部分１３０ｂ）は、第1の接続部分１１０ｃと第２の接続部分１３０ｂとの相互当接によって弾性変形し、係合ブロックＥ２は、図６に示す弾性アーム（第２の接続部分１３０ｂ）の弾性変形によって係合スロットＥ１と円滑に係合することができる。さらに、他の実施形態では、音声ガイドアセンブリ１３０は、図２および図４のねじ留め部材、ならびに図５および図６の弾性アーム、係合スロットＥ１、および係合ブロックＥ２を使用して、ケーシング１１０に組み立てられてもよい。
【００３２】
図７は、本発明の別の実施形態によるスピーカの分解図である。図８は、図７のスピーカの部分三次元図である。図７に示すスピーカ１００Ｂと図２に示すスピーカ１００との差は、図２とは異なり、図７のフレーム１３２は、ネジ留め部材１４０を用いてケーシング１１０にネジ留めされていない。図７の第２の接続部分１３０ｂの各々は、係合スロットＥ３を含み、第１の接続部分１１０ｃの各々は、係合ブロックＥ４を含む。係合ブロックＥ４は、図８に示すように、フレーム１３２がケーシング１１０に対して回転すると、係合スロットＥ３内に移動するようになっている。さらに、他の実施形態では、音声ガイドアセンブリ１３０は、図２および図４のねじ留め部材と、図７および図８に示す係合スロットＥ３および係合ブロックＥ４とを使用してケーシング１１０に組み付けられてもよく、または、図５および図６の弾性アーム、係合スロットＥ１および係合ブロックＥ２と、図７および図８に示す係合スロットＥ３および係合ブロックＥ４とを使用してケーシング１１０に組み付けられてもよい。
【００３３】
フレーム１３２が音声ガイドアセンブリ本体１３４に連結される方法は、以下の図面を用いて例示される発明に限定されない。
【００３４】
図９は、本発明の別の実施形態によるスピーカの分解図である。図９に示すスピーカ１００Ｃと図２に示すスピーカ１００との差は、図９のフレーム１３２が音声ガイドアセンブリ本体１３４と一体に形成されておらず、音声ガイドアセンブリ本体１３４が接着、インモールド成形、溶接等によってフレーム１３２と組み合わされている点である。また、音声ガイドアセンブリ本体１３４は、ネジ留め、スナップ嵌めなどによってフレーム１３２と組み合わせることもできる。本発明では、これに制限は課されない。また、図９の音声ガイドアセンブリ１３０は、ネジ留め部材を用いてケーシング１１０にネジ留めされることに加えて、図５および図６に示す弾性アーム、係合スロットＥ１および係合ブロックＥ２を用いてケーシング１１０と組み合わせてもよいし、図７および図８に示す係合スロットＥ３および係合ブロックＥ４を用いてケーシング１１０と組み合わせてもよい。さらに、他の実施形態では、図９の音声ガイドアセンブリ１３０は、図２および図４のねじ留め部材と、図５および図６の弾性アームと、係合スロットＥ１と、係合ブロックＥ２とを使用してケーシング１１０に組み立てられてもよく、または、図２および図４のねじ留め部材と、図７および図８に示す係合スロットＥ３および係合ブロックＥ４とを使用してケーシング１１０に組み立てられてもよく、または、図５および図６の弾性アームと、係合スロットＥ１と、係合ブロックＥ２と、図７および図８に示す係合スロットＥ３および係合ブロックＥ４とを使用してケーシング１１０に組み立てられてもよい。
【００３５】
他の実施形態では、音声ガイドアセンブリ１３０は、以下の図面を用いて以下に例示される音声増幅構造をさらに含むことができる。
【００３６】
図１０は、本発明の別の実施形態によるスピーカの分解図である。図１１は、図１０のスピーカの一部の上面図である。図１０に示すスピーカ１００Ｄと図２に示すスピーカ１００との相違点は、図１０の音声ガイドアセンブリ１３０が、複数の音声増幅器１５０と底壁１６０とをさらに含むことである。音声増幅器１５０は、底壁１６０上に担持され、音声増幅器１５０のいずれか２つの隣接するものの間に音声増幅チャネルＣを形成するような間隔で放射状に配置される。底壁１６０は、開口１６０ａ（図１１に示す）を有し、音声増幅器１５０は、開口１６０ａを取り囲んでいる。各音声増幅チャンネルＣは、互いに対向する入口Ｃ１（図１１に示す）と出口Ｃ２（図１１に示す）とを有する。スピーカユニット１２０からの音波は、開口１６０ａを通過し、入口Ｃ１を介して音声増幅チャンネルＣに入り、出口Ｃ２を介してスピーカ１００の外部ＯＳに伝達される。図１１に示すように、出口Ｃ２は、音波を増幅するために、入口Ｃ１の内径よりも大きい内径を有する。本実施形態では、図１１に示すように、各音声増幅器１５０は、中空または中実であってもよく、その表面１５０ａは、音波伝達効率の要件に応じて、放物面、テーパ面、指数関数的面、または双曲面となるように設計されてもよい。音声増幅器１５０は、音声ガイドアセンブリ１３０の他の構造に一体的に、または接着などの適切な方法で接続されてもよい。また、本実施形態における音声増幅器１５０は、スピーカ１００Ｄの外観に影響を与えることなく、スピーカ１００Ｄの内部ＩＳに隠されている。
【００３７】
図１２は、本開示の別の実施形態によるスピーカの分解図である。図１３は、図１２のスピーカの一部の上面図である。図１２に示すスピーカ１００Ｅと図１０に示すスピーカ１００Ｄとの差は、図１２の各音声増幅器１５０が、表面１５０ａが平坦になるように直線状になっている点である。図１４は、本発明の別の実施形態によるスピーカの分解図である。図１４に示すスピーカ１００Ｆと図１０に示すスピーカ１００Ｄとの差は、図１４の音声ガイドアセンブリ１３０が図１０の底壁１６０を含まないことである。なお、図１０〜図１４に示した音声増幅器１５０は、上記実施形態のいずれにも適用することができ、本発明はこれに限定されない。
【００３８】
要約すると、本発明のスピーカによれば、音声ガイドアセンブリは取り外し自在であるので、ユーザは、既存の音声ガイドアセンブリを、異なる材料で作られた音声ガイドアセンブリと交換することが好都合である。このようにして、スピーカは、異なる材料で作られた音声ガイドアセンブリを使用して、異なるトーンの音声を生成することができる。さらに、音声ガイドアセンブリの反射面および音声増幅器は、スピーカが好ましい外観を有するように、スピーカの内部に隠されるように設計されてもよい。
【産業上の利用可能性】
【００３９】
本発明のスピーカは、家電製品に適用することができる。
【符号の説明】
【００４０】
１００、１００Ａ、１００Ｂ、１００Ｃ、１００Ｄ、１００Ｅ、１００Ｆ    スピーカ
１１０    ケーシング
１１０ａ    開口端
１１０ｂ    音声出口
１１０ｃ    第１の接続部
１２０    スピーカユニット
１３０    音声ガイドアセンブリ
１３０ａ    反射面
１３０ｂ    第２の接続部
１３２    フレーム
１３４    音声ガイドアセンブリ本体
１５０    音声増幅器
１５０ａ    表面
１６０    底壁
１６０ａ    開口
Ｃ    チャンネル
Ｃ１    入口
Ｃ２    出口
Ｄ１    第１の方向
Ｄ２    第２の方向
Ｅ１、Ｅ３    係合スロット
Ｅ２、Ｅ４    係合ブロック
ＩＳ    内部
ＯＳ    外部
【図１】
2020137113.tif 000003
【図２】
2020137113.tif 000004
【図３】
2020137113.tif 000005
【図４】
2020137113.tif 000006
【図５】
2020137113.tif 000007
【図６】
2020137113.tif 000008
【図７】
2020137113.tif 000009
【図８】
2020137113.tif 000010
【図９】
2020137113.tif 000011
【図１０】
2020137113.tif 000012
【図１１】
2020137113.tif 000013
【図１２】
2020137113.tif 000014
【図１３】
2020137113.tif 000015
【図１４】
2020137113.tif 000016
【外国語明細書】
2020137113000001.pdf